(57)【要約】【課題】  強固な骨組構造であり、しかも、親骨の揺動時に生じる応力を好適に吸収できるようにした洋傘を提供する。【解決手段】  中棒の上端部に上ロクロを固定し、該上ロクロの下方において中棒に摺動自在に外挿された摺動ロクロに上下に配置された中ロクロと下ロクロを設けており、親骨の基端部を上ロクロに枢着し、受骨の基端部を中ロクロに枢着すると共に先端部を親骨の中途部に枢結し、支骨の基端部を下ロクロに枢着すると共に先端部を受骨の中途部に枢結して成る洋傘において、受骨の中途部に対して支骨の先端部をスライダを介して枢結し、該スライダを受骨の軸線に沿って摺動自在に外挿せしめた構成である。【選択図】  図１
2005224474.tif 000002
【特許請求の範囲】
【請求項１】
中棒(21)(31)の上端部に上ロクロ(22)(32)を固定し、該上ロクロの下方において中棒に摺動自在に外挿された摺動ロクロ(23)(33)に上下に配置された中ロクロ(24)(34)と下ロクロ(25)(35)を設けており、親骨(26)(36)の基端部を上ロクロ(22)(32)に枢着し、受骨(27)(37)の基端部を中ロクロ(24)(34)に枢着すると共に先端部を親骨(26)(36)の中途部に枢結し、支骨(29)(39)の基端部を下ロクロ(25)(35)に枢着すると共に先端部を受骨(27)(37)の中途部に枢結して成る洋傘において、
受骨(27)(37)の中途部に対して支骨(29)(39)の先端部をスライダ(30)(40)を介して枢結し、該スライダ(30)(40)を受骨(27)(37)の軸線に沿って摺動自在に外挿せしめて成ることを特徴とする洋傘。
【発明の詳細な説明】
【技術分野】
【０００１】
本発明は、洋傘に係り、特に、強固な骨組構造であり、しかも、親骨の揺動時に生じる応力を好適に吸収できるようにした洋傘に関する。
【背景技術】
【０００２】
従来における手開き洋傘は、中棒の上端部に上ロクロを固定し、該上ロクロの下方において中棒に摺動自在に摺動ロクロを外挿し、親骨の基端部を上ロクロに枢着し、受骨の基端部を摺動ロクロに枢着すると共に、先端部を親骨の中途部に枢結しており、親骨に傘布を張設している。
【０００３】
このような手開き洋傘は、開傘時に傘布に強い張力を生じるが、開傘状態を保持する骨組構造が親骨と受骨の２種類の骨によってのみ構成されているため、必ずしも強度が十分ではない。特に、受骨を可撓性の合成樹脂により形成した場合、傘布が上方から強風を受けて煽られたとき、受骨が容易に変形してしまい、親骨を強固に支持することができず、受骨の枢結部を破損する虞れがある。
【０００４】
これに対して、従来における自動開き洋傘は、図８及び図９に示すように、中棒１の上端部に上ロクロ２を固定し、該上ロクロ２の下方において中棒１に摺動自在に外挿された摺動ロクロ３に上下に配置された中ロクロ４と下ロクロ５を設けており、親骨６の基端部を上ロクロ２に枢着し、受骨７の基端部を中ロクロ４に枢着すると共に、先端部を親骨６の中途部に設けられたブラケット８に枢着し、更に、支骨９の基端部を下ロクロ５に枢着すると共に、先端部を受骨７の中途部にピン１０を介して枢結している。尚、親骨６には傘布が張設される。
【０００５】
摺動ロクロ３を構成する中ロクロ４と下ロクロ５は、それぞれが別体の部材により形成され、相互に接近方向かつ離反方向に移動自在となるように組み合わされており、中ロクロ４と下ロクロ５を相互に離反方向に付勢するスプリング１１が介装されている。従って、摺動ロクロ３は、中棒１に沿って引き下げ、図示省略したハジキに係止した閉傘状態から、押釦を押すことによりハジキの係止を解くと、スプリング１１により中ロクロ４と下ロクロ５が離反方向に移動せしめられることにより、受骨７と支骨９を開かせる。これにより摺動ロクロ３は中棒１に沿って自動的に上昇し、摺動ロクロ３の上昇により親骨６が自動的に開傘を行う。
【０００６】
このように、自動開き洋傘は、摺動ロクロ３をスプリング１１により離反方向に付勢された中ロクロ４と下ロクロ５により構成し、受骨７に加えて支骨９を設けることにより、自動開傘を行わしめることを目的としているが、支骨９を設けた結果、上述の手開き洋傘よりも骨組構造が強固となる。即ち、開傘状態において傘布が上方から強風を受けて煽られたとき、親骨６は受骨７により支持され、更に、受骨７は支骨９により支持されているので、応力が３種類の骨に分散され、骨組構造における各枢支部の破損を防止する。
【０００７】
然しながら、傘布の上方から作用する強風が極めて強い場合は、受骨７が好適に変形できず、応力を吸収することができないという問題がある。即ち、親骨６の押下力を受けた受骨７は、中途部を下方から支骨９により突っ張られているので、応力の吸収が困難であり、その結果、受骨７又は支骨９が折損したり、ブラケット８の枢結部が損傷し易いという問題がある。下記に示す文献は、このような自動開き洋傘の骨組構造を示している。
【特許文献１】特開平８−７０９１９
【特許文献２】特開平８−２６６３２１
【発明の開示】
【発明が解決しようとする課題】
【０００８】
本発明は、上述のような手開き洋傘と自動開き洋傘に見られる欠点を解消した洋傘を提供することを目的とする。
【課題を解決するための手段】
【０００９】
そこで、本発明が手段として構成したところは、中棒の上端部に上ロクロを固定し、該上ロクロの下方において中棒に摺動自在に外挿された摺動ロクロに上下に配置された中ロクロと下ロクロを設けており、親骨の基端部を上ロクロに枢着し、受骨の基端部を中ロクロに枢着すると共に先端部を親骨の中途部に枢結し、支骨の基端部を下ロクロに枢着すると共に先端部を受骨の中途部に枢結して成る洋傘において、受骨の中途部に対して支骨の先端部をスライダを介して枢結し、該スライダを受骨の軸線に沿って摺動自在に外挿せしめて成る点にある。
【発明の効果】
【００１０】
本発明によれば、親骨を受骨により支持すると共に、更に、受骨を支骨により支持するように構成しているので、洋傘の骨組構造が強固であり、強風に対して好適に耐えることができる。
【００１１】
特に本発明によれば、受骨に対して支骨をスライダを介して枢結しているので、傘布と共に親骨が強風により煽られ、受骨が湾曲変形しながら応力を吸収するに際し、スライダを受骨に沿って摺動可能とすることにより、受骨を下方から支持する支骨の枢支点を移動させる構成であるから、応力を受骨と支骨に対して好適に分散させることができ、これにより受骨及び／又は支骨の折損や、骨組構造の枢支部分の破損を防止できるという顕著な効果がある。
【発明を実施するための最良の形態】
【００１２】
以下図面に基づいて本発明の好ましい実施形態を詳述する。
【００１３】
（第１実施形態）
図１ないし図３は、本発明の第１実施形態に係る手開き洋傘を示している。中棒２１の上端部には上ロクロ２２が固定され、該上ロクロ２２の下方において中棒２１に摺動自在な摺動ロクロ２３が外挿されており、摺動ロクロ２３は、上下に配置された中ロクロ２４と下ロクロ２５を設けている。中ロクロ２４と下ロクロ２５は、合成樹脂等により一体成形され又は別体に形成されたものを接着剤等により一体化しており、上下間隔Ｌ１を一定のものとして固定している。
【００１４】
親骨２６は、ガラス繊維又はカーボン繊維等の繊維により強化された合成樹脂の押出又は引抜による可撓性の丸棒材により形成されており、基端部の枢支具２６ａを上ロクロ２２に枢着している。受骨２７は、同様にガラス繊維又はカーボン繊維等の繊維により強化された合成樹脂の押出又は引抜による可撓性の丸棒材により形成されており、基端部の枢支具２７ａを中ロクロ２４に枢着すると共に、先端部の枢支具２７ｂを親骨２６の中途部に設けられたブラケット２８に枢着している。更に、鋼線等から形成された支骨２９が設けられており、該支骨２９の基端部を下ロクロ２５に枢着すると共に、先端部をスライダ３０を介して受骨２７の中途部に枢結している。尚、図示省略しているが、親骨２６には傘布が張設される。
【００１５】
図例の場合、支骨２９は、図２に示すように、先端で折返された平行な２本の骨部２９ａ、２９ａを構成し、先端の折返部をスライダ３０の挿通部３０ａに回動自在に挿通せしめているが、このような構成に限定されるものではない。
【００１６】
図１に示すように、スライダ３０は、受骨２７の先端方向に関して、前進方向Ｆと後退方向Ｒに摺動自在であり、受骨２７の軸方向に関する所定領域を保持し得る所定の長さの筒状体により形成されている。
【００１７】
洋傘を開傘状態から閉傘するためには、摺動ロクロ２３を中棒２１に沿って下降させれば良く、受骨２７と親骨２６がなす内角を広げることにより、親骨２６を下向きに回動させながら閉傘を行う。この際、受骨２７と支骨２９は、図３（Ａ）（Ｂ）に示すように、スライダ３０を後退方向Ｒに摺動させながら重なり合い、これにより骨組の閉傘を可能にする。尚、図示実施形態においては、閉傘完了状態で、スライダ３０を枢支具２７ａに当接せしめるようにした構成を示しているが、当接させなくても良い。
【００１８】
反対に洋傘を閉傘状態から開傘するためには、摺動ロクロ２３を中棒２１に沿って上昇させれば良く、この際、スライダ３０が前進方向Ｆに摺動することにより受骨２７と支骨２９を広げ、受骨２７が上昇することにより親骨２６を広げる。尚、開傘の後、摺動ロクロ２３は、図２に示すように、中棒２１に設けたハジキ３３に係止され、下降が阻止されることにより開傘状態を保持する。
【００１９】
この第１実施形態に係る洋傘によれば、図１に示すように、開傘状態において傘布が強風を受けて煽られたとき、親骨２６は受骨２７により支持され、更に、受骨２７は支骨２９により支持されているので、応力が３種類の骨に分散され、骨組構造における各枢支部の破損が防止される。即ち、上方からの強風により親骨２６が受ける荷重Ｐに対して、受骨２７は、可撓性樹脂による変形を介して応力を吸収するが、この際、受骨２７は、下方から支骨２９により支持されているので、荷重Ｐが受骨２７のみならず支骨２９にも分散される。従って、従来の手開き洋傘のような２種類の骨組構造に比して、骨組の強度が格段に向上する。
【００２０】
ところで、傘布の上方から作用する強風が極めて強い場合は、荷重Ｐが増し、受骨２７が大きく湾曲変形する。従って、受骨２７が湾曲するため、スライダ３０は円滑な摺動を妨げられるが、図１（Ｃ）に示すように、親骨２６と受骨２７の枢支部が下方に移動する結果、スライダ３０が湾曲した受骨２７に対して摩擦抵抗を生じながらも前進方向Ｆに向けて移動する。このため、受骨２７に対する支骨２９の支点が移動されるので、荷重Ｐを受骨２７と支骨２９に対して好適に分散することができる。即ち、従来の自動開き洋傘のように受骨２７が支骨２９により突っ張られることはなく、応力を好適に吸収するので、受骨２７又は支骨２９の折損や、ブラケット２８の枢結部の損傷が好適に防止される。
【００２１】
尚、傘布が下方から強風に煽られ、親骨２６が上向きに回動するときは、図１（Ｂ）に示すように、支骨２９が受骨２７を支持しながらも、スライダ３０を後退方向Ｒに移動せしめ、支骨２９と受骨２７の協働により応力を吸収する。
【００２２】
（第２実施形態）
図４ないし図７は、本発明の第２実施形態に係る自動開き洋傘を示している。中棒３１の上端部には上ロクロ３２が固定され、該上ロクロ３２の下方において中棒３１に摺動自在な摺動ロクロ３３が外挿されている。摺動ロクロ３３は、別体の部材により形成された中ロクロ３４と下ロクロ３５を相互に接近方向かつ離反方向に移動自在となるように組み合わせることにより構成され、中ロクロ３４と下ロクロ３５を相互に離反方向に付勢するスプリング４１が介装されている。従って、中ロクロ３４と下ロクロ３５の上下間隔Ｌ２は、スプリング４１を介して可変とされている。
【００２３】
親骨３６は、ガラス繊維又はカーボン繊維等の繊維により強化された合成樹脂の押出又は引抜による可撓性の丸棒材により形成されており、基端部の枢支具３６ａを上ロクロ３２に枢着している。受骨３７は、同様にガラス繊維又はカーボン繊維等の繊維により強化された合成樹脂の押出又は引抜による可撓性の丸棒材により形成されており、基端部の枢支具３７ａを中ロクロ３４に枢着すると共に、先端部の枢支具３７ｂを親骨３６の中途部に設けられたブラケット３８に枢着している。更に、鋼線等から形成された支骨３９が設けられており、該支骨３９の基端部を下ロクロ３５に枢着すると共に、先端部をスライダ４０を介して受骨３７の中途部に枢結している。尚、図示省略しているが、親骨３６には傘布が張設される。
【００２４】
図例の場合、支骨３９は、図３に示すように、先端で折返された平行な２本の骨部３９ａ、３９ａを構成し、先端の折返部をスライダ４０の挿通部４０ａに回動自在に挿通せしめているが、このような構成に限定されるものではない。
【００２５】
図４に示すように、開傘状態において、スライダ４０は、受骨３７の枢支具３７ａに当接しており、従って、受骨３７の先端方向とされた前進方向Ｆに摺動自在であり、受骨３７の軸方向に関する所定領域を保持し得る所定の長さの筒状体により形成されている。
【００２６】
洋傘を開傘状態から閉傘するためには、摺動ロクロ３３を中棒３１に沿って下降させれば良く、受骨３７と親骨３６がなす内角を広げることにより、親骨３６を下向きに回動させながら閉傘を行う。この際、図７（Ａ）（Ｂ）に示すように、中ロクロ３４と下ロクロ３５の上下間隔Ｌ２が次第に狭まるので、スライダ４０を受骨３７の枢支具３７ａに当接したままの状態で、受骨３７と支骨３９が重なり合い、これにより骨組の閉傘を可能にする。尚、摺動ロクロ３３は、閉傘位置において、中棒３１の手元側に設けたハジキ（図示省略）に係止される。
【００２７】
反対に洋傘を閉傘状態から開傘するためには、摺動ロクロ３３を中棒３１の手元側のハジキに係止した状態から、押釦を押すことによりハジキの係止を解くと、スプリング４１により中ロクロ３４と下ロクロ３５が離反方向に移動せしめられることにより、受骨３７と支骨３９を開かせる。これにより摺動ロクロ３３は中棒３１に沿って自動的に上昇し、受骨３７が上昇することにより親骨３６を広げ、自動的に開傘を行う。尚、開傘状態において、摺動ロクロ３３は、上部のストッパ４２に当接することにより停止する。
【００２８】
この第２実施形態に係る洋傘によれば、図１に示すように、開傘状態において傘布が上方から強風を受けて煽られたとき、親骨３６は受骨３７により支持され、更に、受骨３７は支骨３９により支持されているので、応力が３種類の骨に分散され、骨組構造における各枢支部の破損が防止される。即ち、親骨３６が受ける上方からの荷重Ｐに対して、受骨３７は、受骨３７自体の可撓性樹脂による変形を介して応力を吸収するが、この際、受骨３７は、下方から支骨３９により支持されているので、荷重Ｐが受骨３７のみならず支骨３９にも分散される。
【００２９】
ところで、傘布の上方から作用する強風が極めて強い場合は、荷重Ｐが増し、受骨３７が大きく湾曲変形する。従って、受骨３７が湾曲するため、スライダ４０の円滑な摺動が妨げられるが、図６に示すように、親骨３６と受骨３７の枢支部が下方に移動する結果、スライダ４０が湾曲した受骨３７に対して摩擦抵抗を生じながらも前進方向Ｆに向けて移動する。このため、受骨３７に対する支骨３９の支点が移動されるので、荷重Ｐを受骨３７と支骨３９に対して好適に分散することができる。即ち、従来の自動開き洋傘のように受骨３７が支骨３９により突っ張られることはなく、応力を好適に吸収するので、受骨３７又は支骨３９の折損や、ブラケット３８の枢結部の損傷が好適に防止される。
【００３０】
尚、傘布が下方から強風に煽られ、親骨３６が上向きに回動しようとするとき、スライダ４０は、枢支具３７ａに当接しているため、後退方向に摺動しないが、スプリング４１に抗して上ロクロ３４を下向きに移動可能としているので、支骨３９と受骨３７の協働により応力を吸収する。
【図面の簡単な説明】
【００３１】
【図１】本発明の第１実施形態に係る手開き洋傘を示しており、（Ａ）は骨組構造を示す一部断面正面図、（Ｂ）はスライダの後退方向の摺動作用を示す部分断面図、（Ｃ）はスライダの前進方向の摺動作用を示す部分断面図である。
【図２】本発明の第１実施形態を示す斜視図である。
【図３】本発明の第１実施形態の閉傘状態を示しており、（Ａ）は閉傘途中の状態を示す一部断面正面図、（Ｂ）は閉傘状態を示す部分断面図である。
【図４】本発明の第２実施形態に係る自動開き洋傘の骨組構造を示す一部断面正面図である。
【図５】本発明の第２実施形態を示す斜視図である。
【図６】本発明の第２実施形態の作用を示す一部断面正面図である。
【図７】本発明の第２実施形態の閉傘状態を示しており、（Ａ）は閉傘途中の状態を示す一部断面正面図、（Ｂ）は閉傘状態を示す部分断面図である。
【図８】従来例に係る自動開き洋傘の骨組構造を示す一部断面正面図である。
【図９】従来例に係る自動開き洋傘を示す斜視図である。
【符号の説明】
【００３２】
２１、３１  中棒
２２、３２  上ロクロ
２３、３３  摺動ロクロ
２４、３４  中ロクロ
２５、３５  下ロクロ
２６、３６  親骨
２７、３７  受骨
２９、３９  支骨
３０、４０  スライダ
【図１】
2005224474.tif 000003
【図２】
2005224474.tif 000004
【図３】
2005224474.tif 000005
【図４】
2005224474.tif 000006
【図５】
2005224474.tif 000007
【図６】
2005224474.tif 000008
【図７】
2005224474.tif 000009
【図８】
2005224474.tif 000010
【図９】
2005224474.tif 000011